(57)【要約】【解決手段】袋体１の開口部を袋体１の内部で閉塞し袋体１内部に収納した商品Ｐの上端部を覆うカバー片３を設ける。該カバー片３の一端部を袋体１の一方の内部側面１Ａに固定する。カバー片３の他端部を固定せずに自由端部３Ａとする。該自由端部３Ａを、袋体１の他方の内部側面１Ｂと収納した商品Ｐとの間に配する。カバー片３は、前記袋体１と別体に設けられ、一端部を袋体の内部側面１Ａに接着する。手提げ構造２は、補強部１Ｃを貫通する切抜き状や、別体で形成される。【効果】塵や埃の付着を防止し、商品を収納したままで長期の保存や展示販売を可能にする。汎用性に富み、多くの種類の商品を収納することが可能になる。【選択図】　　　　図１
0003100137.tif 000002
【実用新案登録請求の範囲】
【請求項１】
合成樹脂フィルムで形成され、商品を収納する袋体と該袋体に設けられた手提げ構造とを備えた展示販売用手提げ袋において、袋体の開口部を袋体の内部で閉塞し袋体内部に収納した商品の上端部を覆うカバー片を設け、該カバー片の一端部を袋体の一方の内部側面に固定すると共に、カバー片の他端部を固定せずに自由端部とし、該自由端部を、袋体の他方の内部側面と収納した商品との間に配することを特徴とする展示販売用手提げ袋。
【請求項２】
前記カバー片は、前記袋体と別体に設けられ、一端部を袋体の内部側面に接着した請求項１記載の展示販売用手提げ袋。
【請求項３】
前記カバー片は、前記袋体と一体に設けられた請求項１記載の展示販売用手提げ袋。
【請求項４】
前記手提げ構造は、前記袋体の開口部を二重にして形成した補強部を貫通する切抜き状を成した手提げ構造である請求項１記載の展示販売用手提げ袋。
【請求項５】
前記手提げ構造は、前記袋体と別体に設けられ、袋体の開口部を二重にして形成した補強部に装着する手提げ構造である請求項１記載の展示販売用手提げ袋。
【考案の詳細な説明】
【０００１】
【考案の属する技術分野】
本考案は、缶ビール等の飲料物やシャンプーなどの生活用品類を、適数本ずつまとめて展示販売すると共に、展示状態のまま運搬することができる展示販売用手提げ袋に関する。
【０００２】
【従来の技術】
従来、この種の手提げ袋として、例えば特許文献１に記載された簡易手提げ袋がある。この種の手提げ袋は、もともと缶ビールなどを半ダース程まとめて運搬する際に用いられていたが、量販店などでは、この種の手提げ袋に商品を収納した状態で展示販売することも行われている。すなわち、商品を透明な手提げ袋に収納したまま陳列し、あるいは手提げ袋ごと積み上げた状態で展示しており、消費者は、商品をこの手提げ袋ごと運んで購入するものである。この種の手提げ袋は、上部が開口したままの状態で収納、運搬するので、商品のサイズが多少異なっても比較的容易に対応し、そのまま利用できることが多い。このため、汎用性に富み、飲料容器から生活用品などに至るまで多くの種類の商品を展示販売する手提げ袋として利用することができ、量販店のみならず一般の小売店などでも用いられている極めて重要な販促用品になっている。
【０００３】
一方、ガゼット袋の開口部にファスナーを設けたファスナーバッグが特許文献２によって提案されている。このバッグによると、開口部をファスナーで閉じることによって、埃や塵などが内部へ侵入するのを防ぐことができる。そのため、このようなファスナーバッグにおいても特許文献１記載のように、展示販売用の手提げ袋として使用されることがある。この場合、手提げ袋の開口部をファスナーで閉じるので、手提げ袋の収納容積は収納する商品のサイズに合わせる必要があり、言わば特注品として製造されている。
【０００４】
【特許文献１】
特開平１０−１９４２９６号公報
【特許文献２】
特開２０００３−９５２８６号公報
【０００５】
【発明が解決しようとする課題】
特許文献１に記載されているような簡易手提げ袋では、開口部が開いたままで展示販売されているので、この開口部から塵や埃が侵入しやすく、収納した商品に塵や埃が付着する虞があった。特に、収納する商品Ｐの材質が合成樹脂の場合には、静電気の作用によって細かな塵埃が商品に付着する虞がある。
【０００６】
また、手提げ袋の表面に付着した塵埃等は、容易に除去できても、内部の商品が塵埃で汚れてしまった場合は、手提げ袋から商品を出し、商品を洗浄し、再び手提げ袋に入れ直すといった多くの手間を要することになる。このように塵や埃が商品に付着すると商品価値が著しく低下するばかりでなく、商品管理に多くの手間を要するので、展示販売用の手提げ袋に商品を収納したままで長期間収納して展示し、あるいは保存することは困難な状況になっていた。このため、量販店や小売店などでは、長期間収納したままでも内部の商品が汚れない展示販売用の手提げ袋の提供が望まれている。
【０００７】
一方、特許文献２に記載されている如きファスナー付き手提げ袋は、長期間収納したままでも内部の商品が汚れない袋として提供されている。ところが、開口部を密封するファスナーを採用しているので、袋体の収納容積が厳格に制限される不都合がある。すなわち、このファスナー付きの手提げ袋では、収納する商品のサイズに合わせた、言わば特注品として製造されるものである。このため、ファスナー付きの手提げ袋を他の商品に使用する場合は、収納可能な商品のサイズが厳しく制限されることから、転用の可能性は極めて少なくなる。また、精密な構造のファスナーを設けているので、その分、製造コストも著しく高くなる。これらの要因が、このファスナー付き手提げ袋の汎用性を妨げている。したがってファスナー付きの手提げ袋を、前述の如く上部が開口した簡易手提げ袋のように飲料容器から生活用品に至るまで多くの種類の商品を展示販売する手提げ袋として転用できない不都合があった。
【０００８】
そこで本考案は上述の課題を解消すべく創出されたもので、塵や埃の付着を防止して商品を収納したままで長期の保存や展示販売を可能にすることができ、しかも汎用性に富み、多くの種類の商品を収納することも可能になる展示販売用手提げ袋の提供を目的とするものである。
【０００９】
【課題を解決するための手段】
上述の目的を達成すべく本考案の第１の手段は、合成樹脂フィルムで形成され、商品Ｐを収納する袋体１と該袋体１に設けられた手提げ構造２とを備えた展示販売用手提げ袋において、袋体１の開口部を袋体１の内部で閉塞し袋体１内部に収納した商品Ｐの上端部を覆うカバー片３を設け、該カバー片３の一端部を袋体１の一方の内部側面１Ａに固定すると共に、カバー片３の他端部を固定せずに自由端部３Ａとし、該自由端部３Ａを、袋体１の他方の内部側面１Ｂと収納した商品Ｐとの間に配することにある。
【００１０】
第２の手段の前記カバー片３は、前記袋体１と別体に設けられ、一端部を袋体の内部側面１Ａに接着する。
【００１１】
第３の手段の前記カバー片３は、前記袋体１と一体に設けられている。
【００１２】
第４の手段の前記手提げ構造２は、前記袋体１の開口部を二重にして形成した補強部１Ｃを貫通する切抜き状を成した手提げ構造２である。
【００１３】
第５の手段の前記手提げ構造２は、前記袋体１と別体に設けられ、袋体１の開口部を二重にして形成した補強部１Ｃに装着する手提げ構造２である。
【００１４】
本考案によると、袋体１の内部に設けたカバー片３により、袋体１内部の商品Ｐに塵や埃が付着するのを防止し、長期の展示販売を可能にする。また、カバー片３の自由端部３Ａにより、商品Ｐの形状やサイズが変更されても対応可能となり、多くの種類の商品を収納する展示販売用手提げ袋として利用することができる。
【００１５】
【考案の実施の形態】
以下、図面を参照して、本考案の実施例を詳細に説明する。
【００１６】
本考案で使用する袋体１は合成樹脂フィルムで形成される。例えば、ポリプロピレン（ＰＰ）や低密度ポリエチレン（ＬＤＰＥ）、高密度ポリエチレン（ＨＤＰＥ）など、任意の合成樹脂材から選択できるものである。また、この袋体１は、側面又は底面に折り込みを設けたガゼット袋が使用される（図１参照）。袋体１は内部の商品Ｐが見えるように透明な材質が好ましいが、印刷効果を上げるために透明でない袋体１を使用してもよい。
【００１７】
このような袋体１に商品Ｐを収納して展示し、購入時に該袋体１に設けられた手提げ構造２によって展示状態のまま運搬するものである。手提げ構造２は、例えば図２に示す如く、袋体１の開口部を二重にして形成した補強部１Ｃを貫通する長円形等の切抜き状に形成することができる。このような手提げ構造２によると、袋体１を積重ねる場合などにおいて、手提げ構造２を袋体１の開口部に容易に折り重ねることができる。
【００１８】
また、図４に示す如く、手提げ構造２を袋体１と別体に設けてもよい。この場合、袋体１の開口部を二重にして形成した補強部１Ｃに、手提げ構造２を装着することで、手提げ構造２を強固に連結することができる。尚、手提げ構造２は、図示例に限定されるものではなく、この外、袋体１の底部外周から開口部に至る帯状の手提げ構造（図示せず）など手提げ構造２の設計変更は自由である。
【００１９】
カバー片３は、袋体１の内部に設けられており、袋体１の開口部を袋体１の内部で閉塞すると共に、袋体１内部に収納した商品Ｐの上端部を覆うものである（図１参照）。このカバー片３の一端部を袋体１の一方の内部側面１Ａに固定する。図示例では、カバー片３の一端部を補強部１Ｃに固定することで、カバー片３の連結強度を高めている。また、このように袋体１の上部位置にカバー片３を固定すると、袋体１の固定がわ側面はカバー片３が被覆しないので、カバー片３がたとえ透明でなくても商品Ｐの展示を妨げることがない。さらに、カバー片３の固定がわ端部を袋体１の底部近傍に固定することも可能であり、この場合、商品Ｐ全体を包むカバー片３として機能し、防塵効果を高めることができる。
【００２０】
また、カバー片３の他端部を固定せずに自由端部３Ａとし、該自由端部を、袋体１の他方の内部側面１Ｂと収納した商品Ｐとの間に配する。図示のカバー片３は袋体１開口部の長手側面と略同じ幅を有し、該開口部全体を覆った上に、収納した商品Ｐの側面に至る長さに形成している。このように、自由端部３Ａの位置は収納した商品Ｐの高さにより異なるが、商品Ｐの上端部は常にカバー片３により覆われるように設けている（図１参照）。また、商品Ｐの側面までカバー片３が覆うので、展示効果上、カバー片３は透明な材質が好ましい。
【００２１】
このとき、カバー片３は、前記袋体１と別体に設け、一端部を袋体の内部側面１Ａに接着することができる（図３参照）。この場合、完成した袋体１に後付けでカバー片３を接着することになるので、カバー片３の材質や厚みを袋体１と変えることが可能になる。例えば、袋体１より薄い材質をカバー片３に使用すると、袋体１内部でのカバー片３の被覆処理が容易になる。また、カバー片３の幅員を袋体１の開口部の長手側面よりもやや広くするなど、被覆面積を広げることもできる。
【００２２】
一方、カバー片３を袋体１と一体に設けることも可能である（図示せず）。この場合、例えば、袋体１を形成する際に、通常２枚のフィルムを重ねて形成するところ、３枚のフィルムを重ねて袋体１を形成し、この後、内部のフィルムをカットしてカバー片３を形成する手段などがある。また、カバー片３の装着手段は、これらの例に限られるものではなく、自動成形装置等で袋体１と共に形成するなど任意の手段で形成することができる。
【００２３】
【考案の効果】
本考案は、上述の如く構成したことにより、当初の目的を達成する。
【００２４】
すなわち、袋体１の開口上部を袋体１の内部で閉塞し袋体１内部に収納した商品Ｐの上端部を覆うカバー片３を設け、該カバー片３の一端部を袋体１の一方の内部側面１Ａに固定すると共に、カバー片３の他端部を固定せずに自由端部３Ａとし、該自由端部３Ａを、袋体１の他方の内部側面１Ｂと収納した商品Ｐとの間に配することにより、塵埃等の侵入を防止し、長期間収納したままでも内部の商品が汚れない展示販売用の手提げ袋を提供することができる。
【００２５】
また、カバー片３の一端部を袋体１の一方の内部側面１Ａに固定すると共に、カバー片１の他端部を固定せずに自由端部とし、該自由端部を、袋体１の他方の内部側面１Ｂと収納した商品Ｐとの間に配することにより、商品のサイズが多少異なっても比較的容易に対応し、そのまま利用できるので、他の商品を収納する手提げ袋として転用することも可能になった。
【００２６】
更に、カバー片３は袋体１の開口上部を袋体１の内部で閉塞するので、袋体１ごと積重ねて展示する場合でも、カバー片３が破損したり袋体１から外れる虞がなく、このカバー片３が展示の妨げにならず、効果的な展示販売ができる。
【００２７】
しかも、ファスナー付きの手提げ袋のように精密な構造のファスナー等を用いる必要がないので、極めて安価な提供が可能になる。
【００２８】
このように、本考案によると、商品に塵や埃が付着するのを防止し、商品を収納したままで長期の保存や展示販売を可能にすることができ、しかも汎用性に富み、多くの種類の商品を収納することも可能になるなどといった有益な種々の効果を奏する。
【図面の簡単な説明】
【図１】本考案の一実施例を示す側面図。
【図２】本考案の一実施例を示す正面図。
【図３】本考案のカバー片の一実施例を示す要部拡大断面図。
【図４】本考案の他の実施例を示す正面図。
【符号の説明】
Ｐ　商品
１　袋体　　　　１Ａ　内部側面
１Ｂ　内部側面
１Ｃ　補強部
２　手提げ構造
３　カバー片　　３Ａ　自由端部
【図１】
0003100137.tif 000003
【図２】
0003100137.tif 000004
【図３】
0003100137.tif 000005
【図４】
0003100137.tif 000006